(57)【特許請求の範囲】
【請求項１】
ソース機器として動作する通信装置であって、
映像データの再生機能を備えた映像再生シンク機器及び音声データの再生機能を備えた音声再生シンク機器を含む無線接続可能な機器を検出する機器検出部と、
前記機器検出部により検出された複数のシンク機器のうち紐付け処理する映像再生シンク機器及び音声再生シンク機器の組み合わせをユーザー操作に基づいて選択するユーザー入力部と、
前記の選択された映像再生シンク機器に対して、前記通信装置自身と前記の選択された映像再生シンク機器及び音声再生シンク機器の各々の識別情報を含み、前記音声再生シンク機器との紐付け処理を指示する自動設定要求メッセージを送信するメッセージ送信部と、
前記自動設定要求メッセージの送信先から自動設定応答メッセージを受信するメッセージ受信部と、
自動設定応答メッセージを受信した後に、前記の選択された映像再生シンク機器及び音声再生シンク機器の各々と無線接続する無線接続部と、
無線接続した後の前記映像再生シンク機器及び音声再生シンク機器の各々に対して映像データ及び音声データを無線送信する再生開始部と、
を具備する通信装置。
【請求項２】
前記自動設定要求メッセージ及び前記自動設定応答メッセージは、それぞれメッセージの送信元が期待する無線接続が完了するまでの期待時間を含み、
前記自動設定要求メッセージ及び前記自動設定応答メッセージにそれぞれ記載された期待時間に基づいてタイマーを設定するタイマー設定部をさらに備え、
前記タイマーがタイムアウトしたときに、前記ユーザー入力部は、前記のユーザー操作に基づいて選択された、紐付け処理するシンク機器の組み合わせを取り消す、
請求項１に記載の通信装置。
【請求項３】
ソース機器として動作する通信装置のための通信方法であって、
映像データの再生機能を備えた映像再生シンク機器及び音声データの再生機能を備えた音声再生シンク機器を含む無線接続可能な機器を検出する機器検出ステップと、
前記機器検出ステップにおいて検出された複数のシンク機器のうち紐付け処理する映像再生シンク機器及び音声再生シンク機器の組み合わせをユーザー操作に基づいて選択するユーザー入力ステップと、
前記の選択された映像再生シンク機器に対して、前記通信装置自身と前記の選択された映像再生シンク機器及び音声再生シンク機器の各々の識別情報を含み、前記音声再生シンク機器との紐付け処理を指示する自動設定要求メッセージを送信するメッセージ送信ステップと、
前記自動設定要求メッセージの送信先から自動設定応答メッセージを受信するメッセージ受信ステップと、
前記の選択された映像再生シンク機器及び音声再生シンク機器の各々と無線接続する無線接続ステップと、
無線接続した後の前記映像再生シンク機器及び音声再生シンク機器の各々に対して映像データ及び音声データを無線送信する再生開始ステップと、
を有する通信方法。
【請求項４】
映像再生シンク機器として動作する通信装置であって、
ソース機器及び音声データの再生機能を備えた音声再生シンク機器を含む無線接続可能な機器を検出する機器検出部と、
前記機器検出部により検出された複数の機器のうち、前記通信装置自身への映像データの供給元となるソース機器と、前記通信装置自身の紐付け相手となる音声再生シンク機器をユーザー操作に基づいて選択するユーザー入力部と、
前記の選択されたソース機器に対して、前記の選択されたソース機器、前記通信装置自身、及び前記の選択された音声再生シンク機器の各々の識別情報を含む自動設定要求メッセージを送信するメッセージ送信部と、
前記自動設定要求メッセージの送信先となるソース機器から自動設定応答メッセージを受信するメッセージ受信部と、
前記自動設定応答メッセージを受信した後に、前記紐付け相手として選択された音声再生シンク機器と紐付け処理する紐付け処理部と、
前記紐付け処理した後に、前記の選択されたソース機器と無線接続する無線接続部と、
無線接続した後の前記の選択されたソース機器から映像データを受信し再生処理する再生開始部と、
を具備する通信装置。
【請求項５】
前記自動設定要求メッセージ及び前記自動設定応答メッセージは、それぞれメッセージの送信元が期待する無線接続が完了するまでの期待時間を含む、
請求項４に記載の通信装置。
【請求項６】
前記紐付け処理部は、前記紐付け相手として選択された音声再生シンク機器に無線接続要求し、無線接続を介して紐付けするために必要な情報を交換した後、前記紐付け相手として選択された音声再生シンク機器と紐付けされた状態を保持する、
請求項４に記載の通信装置。
【請求項７】
映像再生シンク機器として動作する通信装置のための通信方法であって、
ソース機器及び音声データの再生機能を備えた音声再生シンク機器を含む無線接続可能な機器を検出する機器検出ステップと、
前記機器検出ステップにおいて検出された複数の機器のうち、前記通信装置自身への映像データの供給元となるソース機器と、前記通信装置自身の紐付け相手となる音声再生シンク機器をユーザー操作に基づいて選択するユーザー入力ステップと、
前記の選択されたソース機器に対して、前記の選択されたソース機器、前記通信装置自身、及び前記の選択された音声再生シンク機器の各々の識別情報を含む自動設定要求メッセージを送信するメッセージ送信ステップと、
前記自動設定要求メッセージの送信先となるソース機器から自動設定応答メッセージを受信するメッセージ受信ステップと、
前記自動設定応答メッセージを受信した後に、前記紐付け相手として選択された音声再生シンク機器と紐付け処理する紐付け処理ステップと、
前記紐付け処理した後に、前記の選択されたソース機器と無線接続する無線接続ステップと、
無線接続した後の前記の選択されたソース機器から映像データを受信し再生処理する再生開始ステップと、
を有する通信方法。
【請求項８】
映像再生シンク機器として動作する通信装置であって、
ソース機器及び音声データの再生機能を備えた音声再生シンク機器を含む無線接続可能な機器を検出する機器検出部と、
前記機器検出部により検出された複数の機器のうち前記通信装置自身への映像データの供給元となるソース機器から、前記ソース機器、前記通信装置自身、及び前記通信装置自身の紐付け相手となる音声再生シンク機器の各々の識別情報を含む自動設定要求メッセージを受信する自動設定要求メッセージ受信部と、
前記自動設定要求メッセージの送信元のソース機器に自動設定応答メッセージを送信する自動設定応答メッセージ送信部と、
前記自動設定要求メッセージに記載された識別情報から識別される前記音声再生シンク機器を前記通信装置自身と紐付け処理する紐付け処理部と、
前記自動設定要求メッセージに記載された識別情報から識別される前記ソース機器と無線接続する無線接続部と、
無線接続した後の前記ソース機器から映像データを受信し再生処理する再生開始部と、
を具備する通信装置。
【請求項９】
前記紐付け処理部は、前記ソース機器から自動設定要求メッセージを受信したことに応答して前記紐付け処理した音声再生シンク機器に無線接続要求し、無線接続を介して紐付けするために必要な情報を交換した後、前記音声再生シンク機器と紐付けされた状態を保持する、
請求項８に記載の通信装置。
【請求項１０】
音声再生シンク機器として動作する通信装置であって、
ソース機器及び映像データの再生機能を備えた映像再生シンク機器を含む無線接続可能な機器を検出する機器検出部と、
前記機器検出部により検出された複数の機器のうち、前記通信装置自身への音声データの供給元となるソース機器と、前記通信装置自身の紐付け相手となる映像再生シンク機器をユーザー操作に基づいて選択するユーザー入力部と、
前記の選択されたソース機器及び前記の選択された映像再生シンク機器の各々に対して、前記ソース機器、前記映像再生シンク機器、及び前記通信装置自身の各々の識別情報を含む自動設定要求メッセージを送信するメッセージ送信部と、
前記自動設定要求メッセージの送信先となる前記ソース機器及び前記映像再生シンク機器の各々から自動設定応答メッセージを受信するメッセージ受信部と、
前記自動設定応答メッセージを受信した後に、前記紐付け相手として選択された前記映像再生シンク機器と紐付け処理する紐付け処理部と、
前記紐付け処理した後に、前記の選択されたソース機器と無線接続する無線接続部と、
無線接続した後の前記の選択されたソース機器から音声データを受信し再生処理する再生開始部と、
を具備する通信装置。
【請求項１１】
前記自動設定要求メッセージ及び前記自動設定応答メッセージは、それぞれメッセージの送信元が期待する無線接続が完了するまでの期待時間を含む、
請求項１０に記載の通信装置。
【請求項１２】
前記紐付け処理部は、前記自動設定要求メッセージを送信したシンク機器から無線接続要求を受信し、無線接続を介して紐付けするために必要な情報を交換した後、前記紐付け相手として前記シンク機器と紐付けされた状態を保持する、
請求項１０に記載の通信装置。
【請求項１３】
音声再生シンク機器として動作する通信装置のための通信方法であって、
ソース機器及び映像データの再生機能を備えた映像再生シンク機器を含む無線接続可能な機器を検出する機器検出ステップと、
前記機器検出ステップにおいて検出された複数の機器のうち、前記通信装置自身への音声データの供給元となるソース機器と、前記通信装置自身の紐付け相手となる映像再生シンク機器をユーザー操作に基づいて選択するユーザー入力ステップと、
前記の選択されたソース機器及び前記の選択された映像再生シンク機器の各々に対して、前記ソース機器、前記映像再生シンク機器、及び前記通信装置自身の各々の識別情報を含む自動設定要求メッセージを送信するメッセージ送信ステップと、
前記自動設定要求メッセージの送信先となる前記ソース機器及び前記映像再生シンク機器の各々から自動設定応答メッセージを受信するメッセージ受信ステップと、
前記紐付け相手として選択された前記映像再生シンク機器と紐付け処理する紐付け処理ステップと、
前記の選択されたソース機器と無線接続する無線接続ステップと、
無線接続した後の前記の選択されたソース機器から音声データを受信し再生処理する再生開始ステップと、
を有する通信方法。
【請求項１４】
映像データ及び音声データを供給するソース機器と、映像データの再生機能を備えた映像再生シンク機器及び音声データの再生機能を備えた音声再生シンク機器を含む複数のシンク機器で構成され、
ソース機器において映像再生シンク機器及び音声再生シンク機器を含む無線接続可能な機器を検出し、又は、映像再生シンク機器においてソース機器及び音声再生シンク機器を含む無線接続可能な機器を検出し、
ソース機器において検出された複数のシンク機器のうち紐付け処理する映像再生シンク機器及び音声再生シンク機器の組み合わせをユーザー操作に基づいて選択し、又は、映像再生シンク機器において検出された複数の機器のうち映像再生シンク機器自身への映像データの供給元となるソース機器及び紐付け相手となる音声再生シンク機器をユーザー操作に基づいて選択し、
前記選択により組み合わせられたソース機器と映像再生シンク機器と音声再生シンク機器の各々の識別情報を含む自動設定要求メッセージを、前記選択を行なったソース機器又は映像再生シンク機器から前記選択された機器に送信し、
前記自動設定要求メッセージの送信先から送信元の機器へ自動設定応答メッセージを返信し、
前記自動設定要求メッセージを送信し又は前記自動設定応答メッセージを受信した映像再生シンク機器を、前記自動設定要求メッセージに記載された識別情報から識別される前記音声再生シンク機器と紐付け処理し、
前記自動設定要求メッセージに記載された識別情報に基づいて、前記選択により組み合わせられたソース機器を映像再生シンク機器と音声再生シンク機器の各々と無線接続し、
無線接続した後の前記ソース機器から前記映像再生シンク機器及び音声再生シンク機器の各々へ映像データ及び音声データを無線送信して再生処理する、
通信システム。
【発明の詳細な説明】
【技術分野】
【０００１】
本明細書で開示する技術は、データを再生する複数のシンク機器に対してデータを同時に伝達するソース機器として動作する通信装置及び通信方法、ソース機器から伝達されたデータを受信し再生処理するシンク機器として動作する通信装置及び通信方法、並びに、１台のソース機器と複数台のシンク機器からなる通信システムに係り、特に、ソース機器として動作し、紐付け処理された複数のシンク機器にデータを伝達する通信装置及び通信方法、他のシンク機器と紐付け処理され、ソース機器から伝達されたデータを受信し再生処理する通信装置及び通信方法、並びに、１台のソース機器と、紐付け処理された複数のシンク機器からなる通信システムに関する。
【背景技術】
【０００２】
通信技術の普及に伴い、パーソナル・コンピューター（ＰＣ）などの機器間のデータ伝送に、無線ＬＡＮ（Ｌｏｃａｌ  Ａｒｅａ  Ｎｅｔｗｏｒｋ）に代表される無線ネットワークが利用されるようになってきている。無線ＬＡＮは、主にＩＥＥＥ８０２．１１とＷｉ−Ｆｉ  Ａｌｌｉａｎｃｅにより標準化が行なわれている。ＩＥＥＥ８０２．１１では無線ＬＡＮの技術仕様を規格化し、Ｗｉ−Ｆｉ  Ａｌｌｉａｎｃｅでは相互接続性の試験方法の策定や製品の認証などを行なっている。
【０００３】
無線ＬＡＮ技術の利用形態はさまざまである。例えば、パーソナル・コンピューターやチューナー機器などの１台のソース機器から、テレビなどの映像再生機能を持った映像再生シンク機器と、スピーカーなどの音声再生機能を持った音声再生シンク機器の２台のシンク機器へ、それぞれ映像データ及び音声データを伝達する際に、無線ＬＡＮ技術を用いることができる。
【０００４】
例えば、ソース機器からマルチキャスト無線伝送により伝送されたＡＶデータを再生するに際し、同じソース機器からのＡＶデータを再生する他のシンク機器の無線接続状態を判別できるシンク機器（例えば、特許文献１を参照のこと）、ソース機器からマルチキャスト無線伝送により伝送されたＡＶデータを再生するに際し、シンク機器が同じソース機器からのＡＶデータを再生する他のシンク機器の無線接続状態を判別するための各シンク機器のシンク機器情報を送信可能としたソース機器（例えば、特許文献２を参照のこと）、ソース機器からマルチキャスト無線伝送により伝送されたＡＶデータを再生するに際し、シンク機器が同じソース機器からのＡＶデータを再生する他のシンク機器の無線接続状態を判別するためのシンク機器情報を送信可能としたソース機器（例えば、特許文献３、４を参照のこと）、ソース機器からマルチキャスト無線伝送により伝送されたＡＶデータを再生するに際し、同じソース機器からのＡＶデータを再生する他のシンク機器の無線接続状態を判別できるシンク機器、及びシンク機器にＡＶデータを送信するソース機器（例えば、特許文献５を参照のこと）などについて提案がなされている。
【０００５】
上記のような、ＡＶデータを伝達するソース機器と、映像再生シンク機器及び音声再生シンク機器からなる通信システムでは、映像再生シンク機器と音声再生シンク機器とが紐付け処理されていると、次回以降の接続において映像再生シンク機器を選択するだけで、対応する音声再生シンク機器を自動的に選択することが可能となる。当該通信システムを頻繁に使用するケースでは、ユーザーの負担を軽減することに寄与する。通常、シンク機器同士の紐付け処理は、ユーザーが映像再生シンク機器と音声再生シンク機器を操作することによって実行される。
【０００６】
ＡＶデータを伝達するソース機器と、映像再生シンク機器及び音声再生シンク機器という接続形態を利用するためには、通常は、以下のようなユーザーの操作が必要であり、ユーザーにとって煩わしい。
【０００７】
（１）映像再生シンク機器と音声再生シンク機器の紐付け処理のために、２台の機器を操作する。
（２）ソース機器と映像再生シンク機器を接続するために、２台の機器を操作する。
（３）ソース機器と音声再生シンク機器を接続するために、２台の機器を操作する。
【先行技術文献】
【特許文献】
【０００８】
【特許文献１】特開２０１０−１６６４８１号公報
【特許文献２】特開２０１０−１６６６０９号公報
【特許文献３】特開２０１０−１６６６１０号公報
【特許文献４】特開２０１０−１６６６１１号公報
【特許文献５】特開２０１０−１６６６１２号公報
【発明の概要】
【発明が解決しようとする課題】
【０００９】
本明細書で開示する技術の目的は、ソース機器として動作し、簡素なユーザー操作により複数のシンク機器を紐付け処理してデータを伝達することができる、優れた通信装置及び通信方法を提供することにある。
【００１０】
本明細書で開示する技術のさらなる目的は、シンク機器として動作するとともに、簡素なユーザー操作により他のシンク機器と紐付け処理し、ソース機器から伝達されたデータを受信し再生処理することができる、優れた通信装置及び通信方法を提供することにある。
【００１１】
本明細書で開示する技術のさらなる目的は、１台のソース機器と、紐付け処理された複数のシンク機器からなり、簡素なユーザー操作により複数のシンク機器を紐付け処理して、ソース機器と複数のシンク機器間でデータの伝達を行なうことができる、優れた通信システムを提供することにある。
【課題を解決するための手段】
【００１２】
本願は、上記課題を参酌してなされたものであり、請求項１に記載の技術は、
無線接続可能な機器を検出する機器検出部と、
前記機器検出部により検出された複数のシンク機器のうち紐付け処理する組み合わせをユーザー操作に基づいて選択するユーザー入力部と、
前記の選択されたシンク機器のうちの１台に対して自動設定要求メッセージを送信するメッセージ送信部と、
前記自動設定要求メッセージの送信先から自動設定応答メッセージを受信するメッセージ受信部と、
前記の選択されたシンク機器の各々と無線接続する無線接続部と、
ソース機器として、無線接続した後の前記シンク機器の各々に対して再生用データを無線送信する再生開始部と、
を具備する通信装置である。
【００１３】
本願の請求項２に記載の技術によれば、複数のシンク機器は、映像データの再生機能を備えた映像再生シンク機器と、音声データの再生機能を備えた音声再生シンク機器を含んでいる。そして、請求項１に記載の通信装置のメッセージ送信部は、紐付け処理する組み合わせとして選択された映像再生シンク機器及び音声再生シンク機器のうち映像再生シンク機器に対して自動設定要求メッセージを送信し、再生開始部は、前記映像再生シンク機器及び前記音声再生シンク機器にそれぞれ映像データ及び音声データを無線送信するように構成されている。
【００１４】
本願の請求項３に記載の技術によれば、請求項１に記載の通信装置が送信する自動設定要求メッセージは、前記ソース機器として動作する当該通信装置自身、前記の選択されたシンク機器の各々の識別情報を含んでいる。
【００１５】
本願の請求項４に記載の技術によれば、請求項１に記載の通信装置が受信する自動設定要求メッセージ及び前記自動設定応答メッセージは、それぞれメッセージの送信元が期待する無線接続が完了するまでの期待時間を含んでいる。また、請求項１に記載の通信装置は、自動設定要求メッセージ及び前記自動設定応答メッセージにそれぞれ記載された期待時間に基づいてタイマーを設定するタイマー設定部をさらに備え、タイマーがタイムアウトしたときに、前記ユーザー入力部は、前記のユーザー操作に基づいて選択された、紐付け処理するシンク機器の組み合わせを取り消すように構成されている。
【００１６】
また、本願の請求項５に記載の技術は、
無線接続可能な機器を検出する機器検出ステップと、
前記機器検出ステップにおいて検出された複数のシンク機器のうち紐付け処理する組み合わせをユーザー操作に基づいて選択するユーザー入力ステップと、
前記の選択されたシンク機器のうちの１台に対して自動設定要求メッセージを送信するメッセージ送信ステップと、
前記自動設定要求メッセージの送信先から自動設定応答メッセージを受信するメッセージ受信ステップと、
前記の選択されたシンク機器の各々と無線接続する無線接続ステップと、
ソース機器として、無線接続した後の前記シンク機器の各々に対して再生用データを無線送信する再生開始ステップと、
を有する通信方法である。
【００１７】
また、本願の請求項６に記載の技術は、
無線接続可能な機器を検出する機器検出部と、
前記機器検出部により検出された複数の機器のうち、データの供給元となるソース機器と、紐付け相手となるシンク機器をユーザー操作に基づいて選択するユーザー入力部と、
前記の選択されたソース機器に対して自動設定要求メッセージを送信するメッセージ送信部と、
前記自動設定要求メッセージの送信先となるソース機器から自動設定応答メッセージを受信するメッセージ受信部と、
前記紐付け相手として選択されたシンク機器と紐付け処理する紐付け処理部と、
前記の選択されたソース機器と無線接続する無線接続部と、
シンク機器として、無線接続した後の前記の選択されたソース機器からデータを受信し再生処理する再生開始部と、
を具備する通信装置である。
【００１８】
本願の請求項７に記載の技術によれば、請求項６に記載の通信装置は映像データの再生機能を備えた映像再生シンク機器であり、再生開始部は、前記ソース機器から映像データを受信し再生処理するように構成されている。また、前記紐付けする相手となるシンク機器は音声データの再生機能を備えた音声再生シンク機器である。
【００１９】
本願の請求項８に記載の技術によれば、請求項６に記載の通信装置が送信する自動設定要求メッセージは、前記ソース機器、前記シンク機器として動作する当該通信装置自身、前記紐付け相手として選択されたシンク機器の各々の識別情報を含んでいる。
【００２０】
本願の請求項９に記載の技術によれば、請求項６に記載の通信装置が送信する自動設定要求メッセージ並びに受信する自動設定応答メッセージは、それぞれメッセージの送信元が期待する無線接続が完了するまでの期待時間を含んでいる。
【００２１】
本願の請求項１０に記載の技術によれば、請求項６に記載の通信装置の紐付け処理部は、前記紐付け相手として選択されたシンク機器に無線接続要求し、無線接続を介して紐付けするために必要な情報を交換した後、前記紐付け相手として選択されたシンク機器と紐付けされた状態を保持するように構成されている。
【００２２】
また、本願の請求項１１に記載の技術は、
無線接続可能な機器を検出する機器検出ステップと、
前記機器検出ステップにおいて検出された複数の機器のうち、データの供給元となるソース機器と、紐付け相手となるシンク機器をユーザー操作に基づいて選択するユーザー入力ステップと、
前記の選択されたソース機器に対して自動設定要求メッセージを送信するメッセージ送信ステップと、
前記自動設定要求メッセージの送信先となるソース機器から自動設定応答メッセージを受信するメッセージ受信ステップと、
前記紐付け相手として選択されたシンク機器と紐付け処理する紐付け処理ステップと、
前記の選択されたソース機器と無線接続する無線接続ステップと、
シンク機器として、無線接続した後の前記の選択されたソース機器からデータを受信し再生処理する再生開始ステップと、
を有する通信方法である。
【００２３】
また、本願の請求項１２に記載の技術は、
無線接続可能な機器を検出する機器検出部と、
前記機器検出部により検出された複数の機器のうちソース機器又はシンク機器として動作する他の機器から、ソース機器、前記シンク機器として動作する当該通信装置及び前記他の機器の各々の識別情報を含む自動設定要求メッセージを受信する自動設定要求メッセージ受信部と、
前記他の機器に自動設定応答メッセージを送信する自動設定応答メッセージ送信部と、
前記他の機器と紐付け処理する紐付け処理部と、
前記自動設定要求メッセージに記載された識別情報から識別される前記ソース機器と無線接続する無線接続部と、
無線接続した後の前記の選択されたソース機器からデータを受信し再生処理する再生開始部と、
を具備する通信装置である。
【００２４】
本願の請求項１３に記載の技術によれば、請求項１２に記載の通信装置は映像データの再生機能を備えた映像再生シンク機器であり、の機器は音声データの再生機能を備えた音声再生シンク機器である。そして、再生開始部は、前記ソース機器から映像データを受信し再生処理するように構成されている。
【００２５】
本願の請求項１４に記載の技術によれば、請求項１２に記載の通信装置の紐付け処理部は、前記他のシンク機器から自動設定要求メッセージを受信したことに応答して前記他のシンク機器に無線接続要求し、無線接続を介して紐付けするために必要な情報を交換した後、前記他のシンク機器と紐付けされた状態を保持するように構成されている。
【００２６】
また、本願の請求項１５に記載の技術は、
無線接続可能な機器を検出する機器検出部と、
前記機器検出部により検出された複数の機器のうち、データの供給元となるソース機器と、紐付け相手となるシンク機器をユーザー操作に基づいて選択するユーザー入力部と、
前記の選択されたソース機器及び前記紐付け相手となるシンク機器の各々に対して自動設定要求メッセージを送信するメッセージ送信部と、
前記自動設定要求メッセージの送信先となるソース機器及び前記紐付け相手となるシンク機器の各々から自動設定応答メッセージを受信するメッセージ受信部と、
前記紐付け相手として選択されたシンク機器と紐付け処理する紐付け処理部と、
前記の選択されたソース機器と無線接続する無線接続部と、
シンク機器として、無線接続した後の前記の選択されたソース機器からデータを受信し再生処理する再生開始部と、
を具備する通信装置である。
【００２７】
本願の請求項１６に記載の技術によれば、請求項１５に記載の通信装置は音声データの再生機能を備えた音声再生シンク機器であり、再生開始部は、前記ソース機器から音声データを受信し再生処理するように構成されている。また、紐付けする相手となるシンク機器は映像データの再生機能を備えた映像再生シンク機器である。
【００２８】
本願の請求項１７に記載の技術によれば、請求項１５に記載の通信装置が送信する自動設定要求メッセージは、前記ソース機器、前記シンク機器として動作する当該通信装置自身、前記紐付け相手として選択されたシンク機器の各々の識別情報を含んでいる。
【００２９】
本願の請求項１８に記載の技術によれば、請求項１５に記載の通信装置が送受信する自動設定要求メッセージ及び前記自動設定応答メッセージは、それぞれメッセージの送信元が期待する無線接続が完了するまでの期待時間を含んでいる。
【００３０】
本願の請求項１９に記載の技術によれば、請求項１５に記載の通信装置の紐付け処理部は、前記自動設定要求メッセージを送信したシンク機器から無線接続要求を受信し、無線接続を介して紐付けするために必要な情報を交換した後、前記紐付け相手として前記シンク機器と紐付けされた状態を保持するように構成されている。
【００３１】
また、本願の請求項２０に記載の技術は、
無線接続可能な機器を検出する機器検出ステップと、
前記機器検出ステップにおいて検出された複数の機器のうち、データの供給元となるソース機器と、紐付け相手となるシンク機器をユーザー操作に基づいて選択するユーザー入力ステップと、
前記の選択されたソース機器及び前記紐付け相手となるシンク機器の各々に対して自動設定要求メッセージを送信するメッセージ送信ステップと、
前記自動設定要求メッセージの送信先となるソース機器及び前記紐付け相手となるシンク機器の各々から自動設定応答メッセージを受信するメッセージ受信ステップと、
前記紐付け相手として選択されたシンク機器と紐付け処理する紐付け処理ステップと、
前記の選択されたソース機器と無線接続する無線接続ステップと、
シンク機器として、無線接続した後の前記の選択されたソース機器からデータを受信し再生処理する再生開始ステップと、
を有する通信方法である。
【００３２】
また、本願の請求項２１に記載の技術は、
データを供給するソース機器と、ソース機器から受信したデータを再生する複数のシンク機器で構成され、
前記ソース機器、前記複数のシンク機器のうちいずれか１台の機器におけるユーザー操作に基づいて、前記複数のシンク機器の紐付け処理と、前記ソース機器との前記複数のシンク機器の各々との無線接続を行なった後、前記シンク機器から前記複数のシンク機器の各々へのデータ送信と前記複数のシンク機器によるデータの再生を開始する、
通信システムである。
【００３３】
但し、ここで言う「システム」とは、複数の装置（又は特定の機能を実現する機能モジュール）が論理的に集合した物のことを言い、各装置や機能モジュールが単一の筐体内にあるか否かは特に問わない。
【発明の効果】
【００３４】
本明細書で開示する技術によれば、ソース機器として動作し、簡素なユーザー操作により複数のシンク機器を紐付け処理してデータを伝達することができる、優れた通信装置及び通信方法を提供することができる。
【００３５】
また、本明細書で開示する技術によれば、シンク機器として動作するとともに、簡素なユーザー操作により他のシンク機器と紐付け処理し、ソース機器から伝達されたデータを受信し再生処理することができる、優れた通信装置及び通信方法を提供することができる。
【００３６】
また、本明細書で開示する技術によれば、１台のソース機器と、紐付け処理された複数のシンク機器からなり、簡素なユーザー操作により複数のシンク機器を紐付け処理して、ソース機器と複数のシンク機器間でデータの伝達を行なうことができる、優れた通信システムを提供することができる。
【００３７】
本明細書で開示する技術によれば、１台のソース機器と複数のシンク機器からなる通信システムにおいて、いずれか１台の機器を操作することにより、ソース機器と各シンク機器との接続が可能である。また、複数のシンク機器間の紐付け処理を自動で行なうことが可能となり、利用可能になるまでの時間を把握することもできる。
【００３８】
本明細書で開示する技術のさらに他の目的、特徴や利点は、後述する実施形態や添付する図面に基づくより詳細な説明によって明らかになるであろう。
【図面の簡単な説明】
【００３９】
【図１】図１は、本明細書で開示する技術を適用することができる通信システムの構成を模式的に示した図である。
【図２】図２は、図１に示した通信システム１０において映像及び音声再生のために実施される処理手順を示したシーケンス図である。
【図３】図３は、ソース機器２０からプローブ要求を送信して得られた検出結果を表示する例を示した図である。
【図４】図４は、映像再生シンク機器３０からプローブ要求を送信して得られた検出結果を表示する例を示した図である。
【図５】図５は、音声再生シンク機器４０からプローブ要求を送信して得られた検出結果を表示する例を示した図である。
【図６】図６は、ソース機器２０で表示される、ソース機器２０からＡｕｔｏＳｅｔｕｐを開始するためのＵＩ画面の構成例を示した図である。
【図７】図７は、ソース機器２０からＡｕｔｏＳｅｔｕｐが要求されたことに応答して、各処理を行なうための処理手順を示したシーケンス図である。
【図８】図８は、映像再生シンク機器３０で表示される、映像再生シンク機器３０からＡｕｔｏＳｅｔｕｐを開始するためのＵＩ画面の構成例を示した図である。
【図９】図９は、映像再生シンク機器３０からＡｕｔｏＳｅｔｕｐが要求されたことに応答して、各処理を行なうための処理手順を示したシーケンス図である。
【図１０】図１０は、音声再生シンク機器４０で表示される、音声再生シンク機器４０からＡｕｔｏＳｅｔｕｐを開始するためのＵＩ画面の構成例を示した図である。
【図１１】図１１は、音声再生シンク機器４０からＡｕｔｏＳｅｔｕｐが要求されたことに応答して、各処理を行なうための処理手順を示したシーケンス図である。
【図１２Ａ】図１２Ａは、ＡｕｔｏＳｅｔｕｐ  Ｒｅｑｕｅｓｔの具体的なフレーム構成を示した図である。
【図１２Ｂ】図１２Ｂは、ＡｕｔｏＳｅｔｕｐ  Ｒｅｓｐｏｎｓｅの具体的なフレーム構成を示した図である。
【図１３】図１３は、映像再生シンク機器３０が音声再生シンク機器４０と紐付け処理するための手順を示したシーケンス図である。
【図１４】図１４は、ソース機器２０が実行する処理手順を示したフローチャートである。
【図１５】図１５は、映像再生シンク機器３０が実行する処理手順を示したフローチャートである。
【図１６】図１６は、音声再生シンク機器４０が実行する処理手順を示したフローチャートである。
【発明を実施するための形態】
【００４０】
以下、図面を参照しながら本明細書で開示する技術の実施形態について詳細に説明する。
【００４１】
図１には、本明細書で開示する技術を適用することができる通信システムの構成を模式的に示している。図示の通信システム１０は、映像データ及び音声データを伝達する１台のソース機器２０と、ソース機器２０から伝達された映像データを受信して映像再生する映像再生シンク機器３０と、ソース機器２０から伝達された音声データを受信して音声再生する音声再生シンク機器４０で構成される。
【００４２】
ソース機器２０と、映像再生シンク機器３０及び音声再生シンク機器４０は、例えばＷｉ−Ｆｉ  Ｄｉｒｅｃｔ技術を使って無線接続されている。図示の通信システム１０は、ソース機器２０を中心としたスター型のネットワークである。映像再生シンク機器３０と音声再生シンク機器４０は図示の接続形態の前に紐付け処理が実施済みであり、映像データ及び音声データ伝達時には、映像再生シンク機器３０と音声再生シンク機器４０は無線接続されていない。
【００４３】
ここで、ソース機器２０は、例えば映像及び音声からなるＡＶデータを記録する（若しくは、記録媒体からＡＶデータを読み出す）パーソナル・コンピューター（ＰＣ）や、ＡＶデータを受信するチューナーなどである。また、映像再生シンク機器３０は映像表示機能を持つテレビ、音声再生シンク機器４０は音声出力機能を持つスピーカーなどである。通信システム１０は、ソース機器２０並びに映像再生シンク機器３０は各１台であることを想定している。例えば音声データが多チャンネルの場合などがあり、音声再生シンク機器４０が複数台の場合もあり得る。また、図示しないが、ソース機器２０が映像及び音声以外に、他の種別のデータを同時出力する場合には、当該他の種別のデータを再生するシンク機器も存在し得る。
【００４４】
図２には、図１に示した通信システム１０において映像及び音声再生のために実施される処理手順を示している。図示の通り、通信システム１０で実施される処理は、「Ｄｅｖｉｃｅ  Ｄｉｓｃｏｖｅｒｙ」、「ＡｕｔｏＳｅｔｕｐ  Ｒｅｑｕｅｓｔ／ＡｕｔｏＳｅｔｕｐＲｅｓｐｏｎｓｅ」、「映像、音声再生シンク機器紐付け」、「無線接続（シンク機器と映像再生シンク機器間）」、「無線接続（シンク機器と音声再生シンク機器間）」、「映像、音声再生開始」に大別される。
【００４５】
Ｄｅｖｉｃｅ  Ｄｉｓｃｏｖｅｒｙは、ソース機器２０、映像再生シンク機器３０、音声再生シンク機器４０が、無線機器としてお互いを検出するための処理である。具体的な処理は、例えばＷｉ−Ｆｉ  Ｄｉｒｅｃｔ技術の規定に則って実現することができる。
【００４６】
ＡｕｔｏＳｅｔｕｐ  Ｒｅｑｕｅｓｔ／ＡｕｔｏＳｅｔｕｐ  Ｒｅｓｐｏｎｓｅは、「映像、音声再生シンク機器紐付け」、「無線接続（シンク機器と映像再生シンク機器間）」、「無線接続（シンク機器と音声再生シンク機器間）」を自動化する処理であり、ユーザーが操作処理している機器から他の機器へ要求（ＡｕｔｏＳｅｔｕｐ  Ｒｅｑｕｅｓｔ）を行なうことで実行される。本実施形態では、ソース機器２０、映像再生シンク機器３０、音声再生シンク機器４０のいずれからも、ユーザーが操作処理できるものとする。
【００４７】
映像、音声再生シンク機器紐付けは、映像再生シンク機器３０と音声再生シンク機器４０を、同じソース機器２０から伝達される映像データ及び音声データを同時に再生処理するよう、結び付けを行なう処理である。映像再生シンク機器３０と音声再生シンク機器４０が一旦紐付け処理されると、次回以降の接続において、映像再生シンク機器３０を選択するだけで、対応する音声再生シンク機器４０を自動的に選択することが可能となる。
【００４８】
無線接続（シンク機器と映像再生シンク機器間）、並びに、無線接続（シンク機器と音声再生シンク機器間）は、それぞれＷｉ−Ｆｉ  Ｄｉｒｅｃｔ技術を使って機器間を無線接続する処理である。本明細書では、無線接続についての詳細な説明を省略する。
【００４９】
映像、音声再生開始処理では、ソース機器２０から、映像データ及び音声データを、映像再生シンク機器３０と音声再生シンク機器４０の各々へ送信開始する。本明細書では、映像、音声再生処理についての詳細な説明を省略する。
【００５０】
まず、Ｄｅｖｉｃｅ  Ｄｉｓｃｏｖｅｒｙについて詳解する。Ｄｅｖｉｃｅ  Ｄｉｓｃｏｖｅｒｙは、Ｗｉ−Ｆｉ  Ｄｉｒｅｃｔ技術の規定に則って実現することができる（前述）。具体的には、機器間でプローブ要求（Ｐｒｏｂｅ  ｒｅｑｕｅｓｔ）とプローブ応答（Ｐｒｏｂｅ  Ｒｅｓｐｏｎｓｅ）を交換して、お互いの情報を交換する。これにより、それぞれの機器２０、３０、４０は、お互いを検出することができる。プローブ要求及びプローブ応答では、シンク機器が他のシンク機器と紐付け状態にあるかどうかの情報も交換される。
【００５１】
図３には、ソース機器２０からプローブ要求を送信して得られた検出結果を表示する例を示している。図１に示した通信システム１０で、ソース機器２０からプローブ要求を送信すると、映像再生シンク機器３０と音声再生シンク機器４０からそれぞれプローブ応答が返信され、これらの機器３０、４０の情報を検出することができる。図示の表示例では、検出された各機器３０、４０の名前、種類などの情報と、紐付け状態が表示されている。同図では、図面の簡素化のため、映像再生シンク機器及び音声再生シンク機器の各種類について１台ずつしか挙げていないが、Ｄｅｖｉｃｅ  Ｄｉｓｃｏｖｅｒｙでそれぞれ複数台が検出されると、これらがすべてリストアップされる。
【００５２】
また、図４には、映像再生シンク機器３０からプローブ要求を送信して得られた検出結果を表示する例を示している。図１に示した通信システム１０で、映像再生シンク機器３０からプローブ要求を送信すると、ソース機器２０と音声再生シンク機器４０からそれぞれプローブ応答が返信され、これらの機器２０、４０の情報を検出することができる。図示の表示例では、検出された各機器２０、４０の名前、種類などの情報と、紐付け状態が表示されている（但し、ソース機器２０は、紐付け状態がないのでブランク）。同図では、図面の簡素化のため、ソース機器及び音声再生シンク機器の各種類について１台ずつしか挙げていないが、Ｄｅｖｉｃｅ  Ｄｉｓｃｏｖｅｒｙでそれぞれ複数台が検出されると、これらがすべてリストアップされる。
【００５３】
また、図５には、音声再生シンク機器４０からプローブ要求を送信して得られた検出結果を表示する例を示している。図１に示した通信システム１０で、音声再生シンク機器４０からプローブ要求を送信すると、ソース機器２０と映像再生シンク機器３０からそれぞれプローブ応答が返信され、これらの機器２０、３０の情報を検出することができる。図示の表示例では、検出された各機器２０、３０の名前、種類などの情報と、紐付け状態が表示されている（但し、ソース機器２０は、紐付け状態がないのでブランク）。同図では、図面の簡素化のため、ソース機器及び映像再生シンク機器の各種類について１台ずつしか挙げていないが、Ｄｅｖｉｃｅ  Ｄｉｓｃｏｖｅｒｙでそれぞれ複数台が検出されると、これらがすべてリストアップされる。
【００５４】
続いて、ＡｕｔｏＳｅｔｕｐ  Ｒｅｑｕｅｓｔ／ＡｕｔｏＳｅｔｕｐ  Ｒｅｓｐｏｎｓｅについて詳解する。ユーザーが操作処理している機器から他の機器へ、要求（ＡｕｔｏＳｅｔｕｐ  Ｒｅｑｕｅｓｔ）を行なうことで、「映像、音声再生シンク機器紐付け」、「無線接続（シンク機器と映像再生シンク機器間）」、「無線接続（シンク機器と音声再生シンク機器間）」を自動化する。
【００５５】
ユーザーがソース機器２０を操作処理している場合、ソース機器２０上では、図３に示したような、プローブ要求に対するプローブ応答から得られた検出結果が表示される。
【００５６】
ソース機器２０では、図３に示したＤｅｖｉｃｅ  Ｄｉｓｃｏｖｅｒｙの結果を基に、ＡｕｔｏＳｅｔｕｐ  Ｒｅｑｕｅｓｔを開始するために、図６に示すようなＵＩ（ユーザー・インターフェース）画面を表示する。図示のＵＩ画面では、このソース機器２０からの映像データ及び音声データの伝達先として紐付けしたい映像再生シンク機器及び音声再生シンク機器を選択するためのチェックボックスと、ＡｕｔｏＳｅｔｕｐの開始を指示するための「接続開始」ボタンが配設される。ユーザーは、所望の映像再生シンク機器及び音声再生シンク機器のチェックボックスをチェックした後、「接続開始」ボタンを押下する。これによって、ＡｕｔｏＳｅｔｕｐが開始される。
【００５７】
図７には、ソース機器２０からＡｕｔｏＳｅｔｕｐが要求されたことに応答して、「映像、音声再生シンク機器紐付け」、「無線接続（シンク機器と映像再生シンク機器間）」、「無線接続（シンク機器と音声再生シンク機器間）」の各処理を行なうための処理手順を示している。
【００５８】
まず、ソース機器２０からＡｕｔｏＳｅｔｕｐ  Ｒｅｑｕｅｓｔメッセージが送信され、これに対し、映像再生シンク機器３０からＡｕｔｏＳｅｔｕｐ  Ｒｅｓｐｏｎｓｅメッセージが返信される。このとき、ソース機器２０は、映像再生シンク機器、音声再生シンク機器の無線接続を待つタイマーをセットする。ソース機器２０は、ＡｕｔｏＳｅｔｕｐ  Ｒｅｑｕｅｓｔ、ＡｕｔｏＳｅｔｕｐ  Ｒｅｓｐｏｎｓｅの各メッセージに記載される期待時間のうち長い方の時間だけ、無線接続を待つタイマーをセットする。
【００５９】
映像再生シンク機器３０は、ＡｕｔｏＳｅｔｕｐ  Ｒｅｑｕｅｓｔメッセージに応答して、音声再生シンク機器４０と紐付けするための処理を行なう。図１に示した通信システム１０には、映像再生シンク機器と音声再生シンク機器の２種類のシンク機器が存在するが、紐付け処理は必ず映像再生シンク機器が行なうものとする（以下、同様）。
【００６０】
その後、ソース機器２０は、映像再生シンク機器３０と無線接続を行なうとともに、音声再生シンク機器４０と無線接続を行なう。無線接続は、例えばＷｉ−Ｆｉ  Ｄｉｒｅｃｔ技術を使って実現される。この結果、通信システム１０において、図１に示したような、ソース機器２０を中心としたスター型のネットワークが形成され、映像再生シンク機器３０と音声再生シンク機器４０は無線接続されていない。
【００６１】
また、ユーザーが映像再生シンク機器３０を操作処理している場合、映像再生シンク機器３０上では、図４に示したような、プローブ要求に対するプローブ応答から得られた検出結果が表示される。
【００６２】
映像再生シンク機器３０では、図４に示したＤｅｖｉｃｅ  Ｄｉｓｃｏｖｅｒｙの結果を基に、ＡｕｔｏＳｅｔｕｐ  Ｒｅｑｕｅｓｔを開始するために、図８に示すようなＵＩ（ユーザー・インターフェース）画面を表示する。図示のＵＩ画面では、この映像再生シンク機器３０が、映像データの伝送元となるソース機器と、ソース機器からの映像データ及び音声データの伝達先として紐付けしたい音声再生シンク機器を選択するためのチェックボックスと、ＡｕｔｏＳｅｔｕｐの開始を指示するための「接続開始」ボタンが配設される。ユーザーは、所望のソース機器及び音声再生シンク機器のチェックボックスをチェックした後、「接続開始」ボタンを押下する。これによって、ＡｕｔｏＳｅｔｕｐが開始される。
【００６３】
図９には、映像再生シンク機器３０からＡｕｔｏＳｅｔｕｐが要求されたことに応答して、「映像、音声再生シンク機器紐付け」、「無線接続（シンク機器と映像再生シンク機器間）」、「無線接続（シンク機器と音声再生シンク機器間）」の各処理を行なうための処理手順を示している。
【００６４】
まず、映像再生シンク機器３０からＡｕｔｏＳｅｔｕｐ  Ｒｅｑｕｅｓｔメッセージが送信され、これに対し、ソース機器２０からＡｕｔｏＳｅｔｕｐ  Ｒｅｓｐｏｎｓｅメッセージが返信される。また、ソース機器２０は、映像再生シンク機器、音声再生シンク機器の無線接続を待つタイマーをセットする。ソース機器２０は、ＡｕｔｏＳｅｔｕｐ  Ｒｅｑｕｅｓｔ、ＡｕｔｏＳｅｔｕｐ  Ｒｅｓｐｏｎｓｅの各メッセージに記載される期待時間のうち長い方の時間だけ、無線接続を待つタイマーをセットする。
【００６５】
続いて、映像再生シンク機器３０は、音声再生シンク機器４０と紐付けするための処理を行なう。
【００６６】
その後、ソース機器２０は、映像再生シンク機器３０と無線接続を行なうとともに、音声再生シンク機器４０と無線接続を行なう。無線接続は、例えばＷｉ−Ｆｉ  Ｄｉｒｅｃｔ技術を使って実現される。この結果、通信システム１０において、図１に示したような、ソース機器２０を中心としたスター型のネットワークが形成され、映像再生シンク機器３０と音声再生シンク機器４０は無線接続されていない。
【００６７】
また、ユーザーが音声再生シンク機器４０を操作処理している場合、音声再生シンク機器４０上では、図５に示したような、プローブ要求に対するプローブ応答から得られた検出結果が表示される。
【００６８】
音声再生シンク機器４０では、図５に示したＤｅｖｉｃｅ  Ｄｉｓｃｏｖｅｒｙの結果を基に、ＡｕｔｏＳｅｔｕｐ  Ｒｅｑｕｅｓｔを開始するために、図１０に示すようなＵＩ（ユーザー・インターフェース）画面を表示する。図示のＵＩ画面では、この音声再生シンク機器４０が、音声データの伝送元となるソース機器と、ソース機器からの映像データ及び音声データの伝達先として紐付けしたい映像再生シンク機器を選択するためのチェックボックスと、ＡｕｔｏＳｅｔｕｐの開始を指示するための「接続開始」ボタンが配設される。ユーザーは、所望のソース機器及び映像再生シンク機器のチェックボックスをチェックした後、「接続開始」ボタンを押下する。これによって、ＡｕｔｏＳｅｔｕｐが開始される。
【００６９】
図１１には、音声再生シンク機器４０からＡｕｔｏＳｅｔｕｐが要求されたことに応答して、「映像、音声再生シンク機器紐付け」、「無線接続（シンク機器と映像再生シンク機器間）」、「無線接続（シンク機器と音声再生シンク機器間）」の各処理を行なうための処理手順を示している。
【００７０】
まず、音声再生シンク機器４０からソース機器２０へＡｕｔｏＳｅｔｕｐ  Ｒｅｑｕｅｓｔメッセージが送信され、これに対し、ソース機器２０からＡｕｔｏＳｅｔｕｐ  Ｒｅｓｐｏｎｓｅメッセージが返信される。また、ソース機器２０は、映像再生シンク機器、音声再生シンク機器の無線接続を待つタイマーをセットする。ソース機器２０は、ＡｕｔｏＳｅｔｕｐ  Ｒｅｑｕｅｓｔ、ＡｕｔｏＳｅｔｕｐ  Ｒｅｓｐｏｎｓｅの各メッセージに記載される期待時間のうち長い方の時間だけ、無線接続を待つタイマーをセットする。
【００７１】
続いて、音声再生シンク機器４０から映像再生シンク機器へＡｕｔｏＳｅｔｕｐ  Ｒｅｑｕｅｓｔメッセージが送信され、これに対し、映像再生シンク機器３０からＡｕｔｏＳｅｔｕｐ  Ｒｅｓｐｏｎｓｅメッセージが返信される。
【００７２】
映像再生シンク機器３０は、ＡｕｔｏＳｅｔｕｐ  Ｒｅｑｕｅｓｔメッセージを受信したことに応答して、音声再生シンク機器４０と紐付けするための処理を行なう。
【００７３】
その後、ソース機器２０は、映像再生シンク機器３０と無線接続を行なうとともに、音声再生シンク機器４０と無線接続を行なう。無線接続は、例えばＷｉ−Ｆｉ  Ｄｉｒｅｃｔ技術を使って実現される。この結果、通信システム１０において、図１に示したような、ソース機器２０を中心としたスター型のネットワークが形成され、映像再生シンク機器３０と音声再生シンク機器４０は無線接続されていない。
【００７４】
ここで、ＡｕｔｏＳｅｔｕｐ  Ｒｅｑｕｅｓｔメッセージに含まれる情報の具体的な構成例を以下に示す。
【００７５】
（１）ＡｕｔｏＳｅｔｕｐ  Ｒｅｑｕｅｓｔであることを示す識別情報
（２）ソース機器を特定する情報（例えば、ソース機器のＭＡＣアドレス）
（３）映像再生シンク機器を特定する情報（例えば、映像再生シンク機器のＭＡＣアドレス）
（４）音声再生シンク機器を特定する情報（例えば、音声再生シンク機器のＭＡＣアドレス）
（５）無線接続完了までの送信側が期待する時間
【００７６】
また、ＡｕｔｏＳｅｔｕｐ  Ｒｅｓｐｏｎｓｅメッセージに含まれる情報の具体的な構成例を以下に示す。
【００７７】
（１）ＡｕｔｏＳｅｔｕｐ  Ｒｅｓｐｏｎｓｅであることを示す識別情報
（２）要求を受け付けたか否かのステータス情報
（３）無線接続完了までの受信側が期待する時間
【００７８】
図１２Ａには、ＡｕｔｏＳｅｔｕｐ  Ｒｅｑｕｅｓｔの具体的なフレーム構成を示している。また、図１２Ｂには、ＡｕｔｏＳｅｔｕｐ  Ｒｅｓｐｏｎｓｅの具体的なフレーム構成を示している。各図において、Ｐｒｅａｍｂｌｅには、無線信号として同期するためのパターンが記載される。また、ＭＡＣヘッダーには、無線信号としての送信先、送信元などの情報が記載されている。これらの情報は、Ｆｒａｍｅ  Ｂｏｄｙ部分に追記される。
【００７９】
ソース機器２０は、ＡｕｔｏＳｅｔｕｐ  Ｒｅｑｕｅｓｔ、ＡｕｔｏＳｅｔｕｐ  Ｒｅｓｐｏｎｓｅの各メッセージに記載される期待時間のうち長い方の時間だけ、無線接続を待つタイマーをセットする。この時間内に無線接続が成功しないときには、不具合が発生したものと判断し、ＡｕｔｏＳｅｔｕｐを開始する前の状態に戻る。ソース機器２０は、タイマーをセットすることにより、一連の処理が終了するまでの時間をあらかじめ調整することができる。
【００８０】
ＡｕｔｏＳｅｔｕｐが終了すると、図７、図９、図１１にも示したように、映像再生シンク機器３０は、選択された音声再生シンク機器４０との紐付け処理を開始する。紐付け処理は、例えばＷｉ−Ｆｉ  Ｄｉｒｅｃｔ技術を使用した無線接続を通して行なわれる。
【００８１】
図１３には、映像再生シンク機器３０が音声再生シンク機器４０と紐付け処理するための手順を示している。
【００８２】
まず、映像再生シンク機器３０が音声再生シンク機器４０に対して無線接続要求メッセージを送信する。そして、音声再生シンク機器４０が無線接続応答メッセージを返信することで、無線接続が確立する。
【００８３】
続いて、映像再生シンク機器３０と音声再生シンク機器４０は、それぞれの対応する再生フォーマットと遅延時間などの、紐付けして同じソース機器からの映像データ及び音声データをそれぞれ再生するために必要となる情報を交換する。そして、映像再生シンク機器３０と音声再生シンク機器４０は、交換した情報と交換した相手の情報を記録することで、紐付けされた状態となる。
【００８４】
紐付け処理が終了すると、映像再生シンク機器３０と音声再生シンク機器４０は、無線接続を終了する。上述したように、ソース機器２０から映像データ及び音声データ伝達するときには、映像再生シンク機器３０と音声再生シンク機器４０は無線接続されていない。
【００８５】
これ以降、映像再生シンク機器３０と音声再生シンク機器４０は、Ｄｅｖｉｃｅ  Ｄｉｓｃｏｖｅｒｙなどで（プローブ要求やプローブ応答で）、紐付けされた相手として、交換相手を報知する。
【００８６】
図１４には、図１に示した通信システム１０において図２に示した通信シーケンスを実現するために、ソース機器２０が実行する処理手順をフローチャートの形式で示している。
【００８７】
ソース機器２０は、Ｄｅｖｉｃｅ  Ｄｉｓｃｏｖｅｒｙを開始すると（ステップＳ１４０１）、次いで、ＡｕｔｏＳｅｔｕｐ  Ｒｅｑｕｅｓｔ／ＡｕｔｏＳｅｔｕｐ  Ｒｅｓｐｏｎｓｅのフェーズに移行する。そして、ユーザーがソース機器２０を操作処理している場合であって図６に示したＵＩ画面で機器選択と接続開始が要求されるか、又は、いずれかのシンク機器３０、４０からＡｕｔｏＳｅｔｕｐ  Ｒｅｑｕｅｓｔを受信するまで待機する（ステップＳ１４０２）。
【００８８】
ソース機器２０のＵＩ画面（図６を参照のこと）上で接続開始が要求されたときには、映像再生シンク機器３０にＡｕｔｏＳｅｔｕｐ  Ｒｅｑｕｅｓｔを送信した後（ステップＳ１４０３）、映像再生シンク機器３０からのＡｕｔｏＳｅｔｕｐ    Ｒｅｓｐｏｎｓｅの受信を待機する（ステップＳ１４０５）。
【００８９】
また、ソース機器２０は、映像再生シンク機器３０又は音声再生シンク機器４０のいずれかからＡｕｔｏＳｅｔｕｐ  Ｒｅｑｕｅｓｔを受信したときには、ＡｕｔｏＳｅｔｕｐ  Ｒｅｓｐｏｎｓｅを返信する（ステップＳ１４０４）。
【００９０】
次いで、ソース機器２０は、映像再生シンク機器３０、音声再生シンク機器４０の無線接続を待つタイマーをセットする（ステップＳ１４０６）。具体的には、ソース機器２０は、映像再生シンク機器３０又は音声再生シンク機器４０のいずれかから受信したＡｕｔｏＳｅｔｕｐ  Ｒｅｑｕｅｓｔ、ＡｕｔｏＳｅｔｕｐ  Ｒｅｓｐｏｎｓｅの各メッセージに記載される期待時間のうち長い方の時間だけ、無線接続を待つタイマーをセットする。
【００９１】
そして、ソース機器２０は、このタイマーがタイムアウトするまでの間に（ステップＳ１４０７のＮｏ）、映像再生シンク機器３０、音声再生シンク機器４０の各々に対して無線接続を要求する（ステップＳ１４０８）。そして、タイマアウトするまでにこれらの各シンク機器３０、４０との接続を確認することができたときには（ステップＳ１４０９のＹｅｓ）、ソース機器２０は、本処理を終了する。そして、ソース機器２０は、映像再生シンク機器３０及び音声再生シンク機器４０の各々と無線接続してスター型のネットワークを形成して、映像、音声の再生を開始する。
【００９２】
他方、タイムアウトするまでの間に、各シンク機器３０、４０との接続を確認することができなかったときには（ステップＳ１４０９のＮｏ、Ｓ１４０７のＮｏ）、ソース機器２０は、不具合が発生したものと判断し、ＡｕｔｏＳｅｔｕｐを開始する前の状態すなわちステップＳ１４０２に戻る。この結果、図６に示したＵＩ画面で行なった機器選択は取り消される。
【００９３】
図１５には、図１に示した通信システム１０において図２に示した通信シーケンスを実現するために、映像再生シンク機器３０が実行する処理手順をフローチャートの形式で示している。
【００９４】
映像再生シンク機器３０は、Ｄｅｖｉｃｅ  Ｄｉｓｃｏｖｅｒｙを開始すると（ステップＳ１５０１）、次いで、ＡｕｔｏＳｅｔｕｐ  Ｒｅｑｕｅｓｔ／ＡｕｔｏＳｅｔｕｐ  Ｒｅｓｐｏｎｓｅのフェーズに移行する。そして、ユーザーが映像再生シンク機器３０を操作処理している場合であって図８に示したＵＩ画面で機器選択と接続開始が要求されるか、又は、ソース機器２０、音声再生シンク機器４０のうちいずれかからＡｕｔｏＳｅｔｕｐ  Ｒｅｑｕｅｓｔを受信するまで待機する（ステップＳ１５０２）。
【００９５】
映像再生シンク機器３０のＵＩ画面（図８を参照のこと）上で接続開始が要求されたときには、ソース機器２０にＡｕｔｏＳｅｔｕｐ  Ｒｅｑｕｅｓｔを送信した後（ステップＳ１５０３）、ソース機器２０からのＡｕｔｏＳｅｔｕｐ  Ｒｅｓｐｏｎｓｅの受信を待機する（ステップＳ１５０５）。
【００９６】
次いで、映像再生シンク機器３０は、ＵＩ画面（図８を参照のこと）上で選択された音声再生シンク機器４０に対して紐付け処理要求を送信する（ステップＳ１５０６）。紐付け処理の手順は図１３に示した通りであり、例えばＷｉ−Ｆｉ  Ｄｉｒｅｃｔ技術を使用した無線接続を通して行なわれる。
【００９７】
紐付け処理が終了すると（ステップＳ１５０７のＹｅｓ）、映像再生シンク機器３０と音声再生シンク機器４０との無線接続は切断される。そして、映像再生シンク機器３０はソース機器２０と無線接続して（ステップＳ１５０８）、図１に示したようなスター型のネットワークが形成されると、映像、音声の再生を開始する。
【００９８】
図１６には、図１に示した通信システム１０において図２に示した通信シーケンスを実現するために、音声再生シンク機器４０が実行する処理手順をフローチャートの形式で示している。
【００９９】
音声再生シンク機器４０は、Ｄｅｖｉｃｅ  Ｄｉｓｃｏｖｅｒｙを開始すると（ステップＳ１６０１）、次いで、ＡｕｔｏＳｅｔｕｐ  Ｒｅｑｕｅｓｔ／ＡｕｔｏＳｅｔｕｐ  Ｒｅｓｐｏｎｓｅのフェーズに移行する。そして、ユーザーが音声再生シンク機器４０を操作処理している場合であって図８に示したＵＩ画面で機器選択と接続開始が要求されるか、又は、映像再生シンク機器３０から紐付け処理要求があるまで待機する（ステップＳ１６０２）。
【０１００】
音声再生シンク機器４０のＵＩ画面（図１０を参照のこと）上で接続開始が要求されたときには、ソース機器２０、並びに、ＵＩ画面（図８を参照のこと）上で選択された映像再生シンク機器３０にＡｕｔｏＳｅｔｕｐ  Ｒｅｑｕｅｓｔを送信した後（ステップＳ１６０３）、ソース機器２０並びに映像再生シンク機器３０の各々からのＡｕｔｏＳｅｔｕｐ  Ｒｅｓｐｏｎｓｅの受信を待機する（ステップＳ１６０４のＮｏ）。
【０１０１】
そして、ソース機器２０並びに映像再生シンク機器３０の各々からのＡｕｔｏＳｅｔｕｐ  Ｒｅｓｐｏｎｓｅを受信すると（ステップＳ１６０４のＹｅｓ）、音声再生シンク機器４０は、ＵＩ画面（図８を参照のこと）上で選択された映像再生シンク機器３０から紐付け処理要求を受信するまで待機する（ステップＳ１６０５のＮｏ）。
【０１０２】
映像再生シンク機器３０から紐付け処理要求を受信し（ステップＳ１６０２、Ｓ１６０５のＹｅｓ）、紐付け処理が終了すると（ステップＳ１６０６のＹｅｓ）、映像再生シンク機器３０と音声再生シンク機器４０との無線接続は切断される。そして、音声再生シンク機器４０はソース機器２０と無線接続して（ステップＳ１６０７）、図１に示したようなスター型のネットワークが形成されると、映像、音声の再生を開始する。
【０１０３】
このように、図１に示した通信のシステム１０では、ソース機器２０、映像再生シンク機器３０、音声再生シンク機器４０のうちいずれか１台の機器を操作することにより、ソース機器と各シンク機器との接続が可能である。また、映像再生シンク機器３０と音声再生シンク機器４０間の紐付け処理を自動で行なうことが可能となり、利用可能になるまでの時間を把握することもできる。
【０１０４】
なお、本明細書の開示の技術は、以下のような構成をとることも可能である。
（１）無線接続可能な機器を検出する機器検出部と、前記機器検出部により検出された複数のシンク機器のうち紐付け処理する組み合わせをユーザー操作に基づいて選択するユーザー入力部と、前記の選択されたシンク機器のうちの１台に対して自動設定要求メッセージを送信するメッセージ送信部と、前記自動設定要求メッセージの送信先から自動設定応答メッセージを受信するメッセージ受信部と、前記の選択されたシンク機器の各々と無線接続する無線接続部と、ソース機器として、無線接続した後の前記シンク機器の各々に対して再生用データを無線送信する再生開始部と、を具備する通信装置。
（２）前記複数のシンク機器は、映像データの再生機能を備えた映像再生シンク機器と、音声データの再生機能を備えた音声再生シンク機器を含み、前記メッセージ送信部は、紐付け処理する組み合わせとして選択された映像再生シンク機器及び音声再生シンク機器のうち映像再生シンク機器に対して自動設定要求メッセージを送信し、前記再生開始部は、前記映像再生シンク機器及び前記音声再生シンク機器にそれぞれ映像データ及び音声データを無線送信する、上記（１）に記載の通信装置。
（３）前記自動設定要求メッセージは、前記ソース機器として動作する当該通信装置自身、前記の選択されたシンク機器の各々の識別情報を含む、上記（１）に記載の通信装置。
（４）前記自動設定要求メッセージ及び前記自動設定応答メッセージは、それぞれメッセージの送信元が期待する無線接続が完了するまでの期待時間を含み、前記自動設定要求メッセージ及び前記自動設定応答メッセージにそれぞれ記載された期待時間に基づいてタイマーを設定するタイマー設定部をさらに備え、前記タイマーがタイムアウトしたときに、前記ユーザー入力部は、前記のユーザー操作に基づいて選択された、紐付け処理するシンク機器の組み合わせを取り消す、上記（１）に記載の通信装置。
（５）無線接続可能な機器を検出する機器検出ステップと、前記機器検出ステップにおいて検出された複数のシンク機器のうち紐付け処理する組み合わせをユーザー操作に基づいて選択するユーザー入力ステップと、前記の選択されたシンク機器のうちの１台に対して自動設定要求メッセージを送信するメッセージ送信ステップと、前記自動設定要求メッセージの送信先から自動設定応答メッセージを受信するメッセージ受信ステップと、前記の選択されたシンク機器の各々と無線接続する無線接続ステップと、ソース機器として、無線接続した後の前記シンク機器の各々に対して再生用データを無線送信する再生開始ステップと、を有する通信方法。
（６）無線接続可能な機器を検出する機器検出部と、前記機器検出部により検出された複数の機器のうち、データの供給元となるソース機器と、紐付け相手となるシンク機器をユーザー操作に基づいて選択するユーザー入力部と、前記の選択されたソース機器に対して自動設定要求メッセージを送信するメッセージ送信部と、前記自動設定要求メッセージの送信先となるソース機器から自動設定応答メッセージを受信するメッセージ受信部と、前記紐付け相手として選択されたシンク機器と紐付け処理する紐付け処理部と、前記の選択されたソース機器と無線接続する無線接続部と、シンク機器として、無線接続した後の前記の選択されたソース機器からデータを受信し再生処理する再生開始部と、を具備する通信装置。
（７）前記通信装置は映像データの再生機能を備えた映像再生シンク機器で、前記紐付けする相手となるシンク機器は音声データの再生機能を備えた音声再生シンク機器であり、前記再生開始部は、前記ソース機器から映像データを受信し再生処理する、上記（６）に記載の通信装置。
（８）前記自動設定要求メッセージは、前記ソース機器、前記シンク機器として動作する当該通信装置自身、前記紐付け相手として選択されたシンク機器の各々の識別情報を含む、上記（６）に記載の通信装置。
（９）前記自動設定要求メッセージ及び前記自動設定応答メッセージは、それぞれメッセージの送信元が期待する無線接続が完了するまでの期待時間を含む、上記（６）に記載の通信装置。
（１０）前記紐付け処理部は、前記紐付け相手として選択されたシンク機器に無線接続要求し、無線接続を介して紐付けするために必要な情報を交換した後、前記紐付け相手として選択されたシンク機器と紐付けされた状態を保持する、上記（６）に記載の通信装置。
（１１）無線接続可能な機器を検出する機器検出ステップと、前記機器検出ステップにおいて検出された複数の機器のうち、データの供給元となるソース機器と、紐付け相手となるシンク機器をユーザー操作に基づいて選択するユーザー入力ステップと、前記の選択されたソース機器に対して自動設定要求メッセージを送信するメッセージ送信ステップと、前記自動設定要求メッセージの送信先となるソース機器から自動設定応答メッセージを受信するメッセージ受信ステップと、
前記紐付け相手として選択されたシンク機器と紐付け処理する紐付け処理ステップと、前記の選択されたソース機器と無線接続する無線接続ステップと、シンク機器として、無線接続した後の前記の選択されたソース機器からデータを受信し再生処理する再生開始ステップと、を有する通信方法。
（１２）無線接続可能な機器を検出する機器検出部と、前記機器検出部により検出された複数の機器のうちソース機器又はシンク機器として動作する他の機器から、ソース機器、前記シンク機器として動作する当該通信装置及び前記他の機器の各々の識別情報を含む自動設定要求メッセージを受信する自動設定要求メッセージ受信部と、前記他の機器に自動設定応答メッセージを送信する自動設定応答メッセージ送信部と、前記他の機器と紐付け処理する紐付け処理部と、前記自動設定要求メッセージに記載された識別情報から識別される前記ソース機器と無線接続する無線接続部と、無線接続した後の前記の選択されたソース機器からデータを受信し再生処理する再生開始部と、を具備する通信装置。
（１３）前記通信装置は映像データの再生機能を備えた映像再生シンク機器で、前記他の機器は音声データの再生機能を備えた音声再生シンク機器であり、前記再生開始部は、前記ソース機器から映像データを受信し再生処理する、上記（１２）に記載の通信装置。
（１４）前記紐付け処理部は、前記他のシンク機器から自動設定要求メッセージを受信したことに応答して前記他のシンク機器に無線接続要求し、無線接続を介して紐付けするために必要な情報を交換した後、前記他のシンク機器と紐付けされた状態を保持する、上記（１２）に記載の通信装置。
（１５）無線接続可能な機器を検出する機器検出部と、前記機器検出部により検出された複数の機器のうち、データの供給元となるソース機器と、紐付け相手となるシンク機器をユーザー操作に基づいて選択するユーザー入力部と、前記の選択されたソース機器及び前記紐付け相手となるシンク機器の各々に対して自動設定要求メッセージを送信するメッセージ送信部と、前記自動設定要求メッセージの送信先となるソース機器及び前記紐付け相手となるシンク機器の各々から自動設定応答メッセージを受信するメッセージ受信部と、前記紐付け相手として選択されたシンク機器と紐付け処理する紐付け処理部と、前記の選択されたソース機器と無線接続する無線接続部と、シンク機器として、無線接続した後の前記の選択されたソース機器からデータを受信し再生処理する再生開始部と、
を具備する通信装置。
（１６）前記通信装置は音声データの再生機能を備えた音声再生シンク機器で、前記紐付けする相手となるシンク機器は映像データの再生機能を備えた映像再生シンク機器であり、前記再生開始部は、前記ソース機器から音声データを受信し再生処理する、上記（１５）に記載の通信装置。
（１７）前記自動設定要求メッセージは、前記ソース機器、前記シンク機器として動作する当該通信装置自身、前記紐付け相手として選択されたシンク機器の各々の識別情報を含む、上記（１５）に記載の通信装置。
（１８）前記自動設定要求メッセージ及び前記自動設定応答メッセージは、それぞれメッセージの送信元が期待する無線接続が完了するまでの期待時間を含む、上記（１５）に記載の通信装置。
（１９）前記紐付け処理部は、前記自動設定要求メッセージを送信したシンク機器から無線接続要求を受信し、無線接続を介して紐付けするために必要な情報を交換した後、前記紐付け相手として前記シンク機器と紐付けされた状態を保持する、上記（１５）に記載の通信装置。
（２０）無線接続可能な機器を検出する機器検出ステップと、前記機器検出ステップにおいて検出された複数の機器のうち、データの供給元となるソース機器と、紐付け相手となるシンク機器をユーザー操作に基づいて選択するユーザー入力ステップと、前記の選択されたソース機器及び前記紐付け相手となるシンク機器の各々に対して自動設定要求メッセージを送信するメッセージ送信ステップと、前記自動設定要求メッセージの送信先となるソース機器及び前記紐付け相手となるシンク機器の各々から自動設定応答メッセージを受信するメッセージ受信ステップと、前記紐付け相手として選択されたシンク機器と紐付け処理する紐付け処理ステップと、前記の選択されたソース機器と無線接続する無線接続ステップと、シンク機器として、無線接続した後の前記の選択されたソース機器からデータを受信し再生処理する再生開始ステップと、を有する通信方法。
（２１）データを供給するソース機器と、ソース機器から受信したデータを再生する複数のシンク機器で構成され、前記ソース機器、前記複数のシンク機器のうちいずれか１台の機器におけるユーザー操作に基づいて、前記複数のシンク機器の紐付け処理と、前記ソース機器との前記複数のシンク機器の各々との無線接続を行なった後、前記シンク機器から前記複数のシンク機器の各々へのデータ送信と前記複数のシンク機器によるデータの再生を開始する、通信システム。
【産業上の利用可能性】
【０１０５】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１０６】
本明細書では、Ｗｉ−Ｆｉ  Ｄｉｒｅｃｔ技術の規定に従った実施形態について説明してきたが、本明細書で開示する技術の要旨はこれに限定されるものではない。１台のソース機器と複数台のシンク機器からなり、ソース機器から同時に伝達されるデータを各シンク機器で再生処理する、さまざまな通信システムに、同様に本技術を適用することができる。
【０１０７】
要するに、例示という形態で本技術を開示してきたのであり、本明細書の記載内容を限定的に解釈するべきではない。本技術の要旨を判断するためには、特許請求の範囲を参酌すべきである。
【符号の説明】
【０１０８】
１０…通信システム
２０…ソース機器
３０…映像再生シンク機器
４０…音声再生シンク機器
【図１】
0005909881.tif 000002
【図２】
0005909881.tif 000003
【図３】
0005909881.tif 000004
【図４】
0005909881.tif 000005
【図５】
0005909881.tif 000006
【図６】
0005909881.tif 000007
【図８】
0005909881.tif 000008
【図１０】
0005909881.tif 000009
【図１２Ａ】
0005909881.tif 000010
【図１２Ｂ】
0005909881.tif 000011
【図１３】
0005909881.tif 000012
【図１４】
0005909881.tif 000013
【図１５】
0005909881.tif 000014
【図１６】
0005909881.tif 000015
【図７】
0005909881.tif 000016
【図９】
0005909881.tif 000017
【図１１】
0005909881.tif 000018